【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
真空接続パッドおよび／または流体供給接続パッドにおいて、
被覆材側と接続側とを有する本体を備え、前記被覆材側が、上部と底部を持つ空洞と、前記空洞の前記底部を取り囲むフランジと、を含み、前記接続側が、
真空源および圧力センサに連結されるように構成され、前記空洞の前記上部で終わる真空用管腔と、前記空洞の前記底部まで延びる第一の圧力センサ用管腔を有する多腔型の真空接続部および圧力センサ接続部を含み、前記第一の圧力センサ用管腔の側面部分が前記空洞へと開放していることを特徴とする真空接続パッドおよび／または流体供給接続パッド。
【請求項２】
請求項１に記載の接続パッドにおいて、
前記本体が、前記空洞の前記底部へと延び、前記第一の圧力センサ用管腔と流体連通する、少なくとも１つの第二の圧力センサ用管腔を画定し、前記第二の圧力センサ用管腔の側面部分が前記空洞へと開放していることを特徴とする接続パッド。
【請求項３】
請求項１または２に記載の接続パッドにおいて、
前記多腔型の真空接続部および圧力センサ接続部が、前記真空用管腔の周囲に配置された環状の圧力センサ用管腔を含み、前記環状の圧力センサ用管腔が、前記第一の圧力センサ用管腔および／または第二の圧力センサ用管腔と流体連通していることを特徴とする接続パッド。
【請求項４】
請求項１乃至３の何れか１項に記載の接続パッドにおいて、
流体源に連結されるように構成され、前記空洞の中へと延びる流体供給用管腔を有する、単腔型の流体供給接続部をさらに備えることを特徴とする接続パッド。
【請求項５】
請求項４に記載の接続パッドにおいて、
前記流体供給用管腔が、前記空洞の少なくとも一部の周囲に配置され、流体を前記空洞の周囲に供給することができるように構成された流体供給用リングへと延びることを特徴とする接続パッド。
【請求項６】
請求項１乃至５の何れか１項に記載の接続パッドにおいて、
前記空洞を画定する表面の少なくとも一部が、前記空洞の前記上部から前記空洞の前記底部へと延びる複数の溝を含むことを特徴とする接続パッド。
【請求項７】
請求項１乃至６の何れか１項に記載の接続パッドにおいて、
前記フランジの下側縁辺が、前記空洞の前記底部から半径方向に外側に延び、前記フランジの中で終わる複数の半径方向の案内路を含むことを特徴とする接続パッド。
【請求項８】
請求項１乃至７の何れか１項に記載の接続パッドにおいて、
前記半径方向の案内路が各々、前記半径方向に対して垂直な鋸歯状であることを特徴とする接続パッド。
【請求項９】
請求項７または８に記載の接続パッドにおいて、
前記フランジの前記下側縁辺が、前記空洞と同心円状の複数の弓形回収路を含み、各弓形回収路が前記空洞の一部の周囲に延びることを特徴とする接続パッド。
【請求項１０】
請求項９に記載の接続パッドにおいて、
前記弓形回収路が、複数の弓形周囲回収路と、前記弓形周囲回収路と前記空洞との間に配置された複数の弓形中間回収路を含むことを特徴とする接続パッド。
【請求項１１】
請求項７乃至１０の何れか１項に記載の接続パッドにおいて、
前記複数の半径方向の案内路が、前記空洞の前記底部から外側に延び、各々、前記弓形周囲回収路の１つで終わることを特徴とする接続パッド。
【請求項１２】
請求項７乃至１１の何れか１項に記載の接続パッドにおいて、
前記半径方向の案内路の各々が、前記半径方向に対して垂直な鋸歯状であり、異なる深さの鋸歯を有することを特徴とする接続パッド。
【請求項１３】
請求項１２に記載の接続パッドにおいて、
各半径方向の案内路が、ある深さを有する中央鋸歯と、前記中央鋸歯に隣接する複数の周辺小切り場を有し、各周辺鋸歯の深さが前記中央鋸歯の前記深さより浅いことを特徴とする接続パッド。
【請求項１４】
請求項１乃至１３の何れか１項に記載の接続パッドにおいて、
前記空洞を画定する前記表面の少なくとも一部が、前記空洞の前記底部に隣接する前記フランジに実質的に平行な棚状部を画定することを特徴とする接続パッド。
【請求項１５】
請求項１乃至１４の何れか１項に記載の接続パッドにおいて、
前記圧力センサ用管腔が、前記本体を通る前記流体供給用管腔と流体連通していないことを特徴とする接続パッド。
【請求項１６】
真空接続パッドおよび流体供給接続パッドにおいて、
被覆材側と接続側を有する本体を備え、前記被覆材側が、上部と底部を有する空洞と、前記空洞の前記底部を取り囲むフランジを含み、前記接続側が、
流体源に連結されるように構成され、前記空洞の中へと延びる流体供給用管腔を有する単腔型の流体供給接続部と、
真空源と圧力センサに連結されるように構成され、前記空洞の前記上部で終わる真空用管腔と、前記空洞の中へと延びる第一の圧力センサ用管腔を有する多腔型の真空接続部および圧力センサ接続部を含み、前記第一の圧力センサ用管腔の側面部分が前記空洞へと開放していることを特徴とする接続パッド。
【請求項１７】
請求項１６に記載の接続パッドにおいて、
前記本体が、前記空洞の中へと延び、前記第一の圧力センサ用管腔と流体連通する少なくとも１つの第二の圧力センサ用管腔を画定し、前記第二の圧力センサ用管腔の側面部分が前記空洞へと開放していることを特徴とする接続パッド。
【請求項１８】
請求項１７に記載の接続パッドにおいて、
前記多腔型の真空接続部および圧力センサ接続部が、前記真空用管腔の周囲に配置された環状の圧力センサ用管腔を含み、前記環状の圧力センサ用管腔が前記第一の圧力センサ用管腔および第二の圧力センサ用管腔と連通していることを特徴とする接続パッド。
【請求項１９】
請求項１６乃至１８の何れか１項に記載のパッドにおいて、
前記フランジに連結されているリング状の接着剤をさらに含むことを特徴とするパッド。
【請求項２０】
請求項１９に記載のパッドにおいて、
前記接着剤がヒドロゲルを含むことを特徴とするパッド。
【請求項２１】
請求項１９に記載のパッドにおいて、
前記接着剤が感圧接着剤を含むことを特徴とするパッド。
【請求項２２】
請求項１７乃至２１の何れか１項に記載のパッドにおいて、
前記フランジが、前記パッドを創傷被覆材に連結した時に、創傷被覆材に面するように構成された下面を含み、前記接着剤が前記フランジの前記下面に連結されることを特徴とするパッド。
【請求項２３】
請求項１６に記載のパッドにおいて、
前記フランジが、高周波（ＲＦ）溶接、超音波溶接または接着剤のうちの少なくとも１つによってドレープに連結されるように構成されていることを特徴とするパッド。
【請求項２４】
請求項２３に記載のパッドにおいて、
前記フランジが創傷被覆材のドレープに連結されることを特徴とするパッド。
【請求項２５】
請求項２４に記載のパッドにおいて、
前記フランジが、高周波（ＲＦ）溶接、超音波溶接または接着剤のうちの少なくとも１つによって前記ドレープに連結されることを特徴とするパッド。
【請求項２６】
真空接続パッドにおいて、
被覆材側と接続側を有する本体を備え、前記被覆材側が、上部と底部を有する空洞と、前記空洞の前記底部を取り囲むフランジを含み、前記接続側が、
真空源に連結されるように構成され、前記空洞と連通する真空用管腔を有する単腔型の真空接続部と、
圧力センサに連結されるように構成され、前記空洞の中へと延びる第一の圧力センサ用管腔を有する圧力センサ接続部とを含み、前記第一の圧力センサ用管腔の側面部分が空洞へと開放していることを特徴とする真空接続パッド。
【請求項２７】
請求項２６に記載の真空接続パッドにおいて、
前記本体が、前記空洞の中へと延び、前記第一の圧力センサ用管腔と流体連通している少なくとも１つの第二の圧力センサ用管腔を画定し、前記第二の圧力センサ用管腔の側面部分が空洞へと開放していることを特徴とする真空接続くパッド。
【請求項２８】
請求項２７に記載の真空接続パッドにおいて、
前記本体が、前記真空接続部と前記圧力センサ接続部とを含む多腔型の接続部を有し、前記圧力センサ接続部が、前記真空用管腔の周囲に配置された環状の圧力センサ用管腔を有し、前記環状の圧力センサ用管腔が前記第一の圧力センサ用管腔および第二の圧力センサ用管腔と連通していることを特徴とする真空接続パッド。
【請求項２９】
流体供給接続パッドにおいて、
被覆材側と接続側を有する本体を備え、前記被覆材側が、上部と底部を有する空洞を画定する表面と、前記空洞の前記底部を取り囲むフランジを含み、前記接続側が、前記空洞の前記上部と流体連通する流体供給用管腔を有し、流体源と連結されるように構成された流体供給接続部を有することを特徴とする流体供給接続パッド。
【請求項３０】
請求項２９に記載のパッドにおいて、
前記空洞を画定する前記表面が、前記空洞の前記上部から前記空洞の前記底部へと延びる複数の溝を含むことを特徴とするパッド。
【請求項３１】
請求項２９に記載のパッドにおいて、
前記溝が前記底部の下側周辺縁辺と交差して、前記下側周辺縁辺が鋸歯状の形状を有することを特徴とするパッド。
【請求項３２】
請求項２９に記載のパッドにおいて、
前記フランジが実質的に平滑で実質的に平坦な下表面を有することを特徴とするパッド。
【請求項３３】
請求項２９に記載のパッドにおいて、
前記フランジの下側縁辺が、前記空洞の前記底部から半径方向に外側に延び、前記フランジの外周の中で終わる複数の半径方向の案内路を有することを特徴とするパッド。
【請求項３４】
請求項３３に記載のパッドにおいて、
前記半径方向の案内路が各々、鋸歯状であることを特徴とするパッド。
【請求項３５】
請求項３３に記載のパッドにおいて、
前記フランジの前記下側縁辺が、前記空洞と同心円状の複数の弓形回収路を有し、各弓形回収路が前記空洞の一部に沿って延びることを特徴とするパッド。
【請求項３６】
請求項３５に記載のパッドにおいて、
前記弓形回収路が、複数の弓形周囲回収路と、前記弓形周囲回収路と前記空洞との間に配置された複数の弓形中間回収路を含むことを特徴とするパッド。
【請求項３７】
請求項３３に記載のパッドにおいて、
前記複数の半径方向の案内路が、前記空洞の前記底部から外側に延び、各々、前記弓形周囲回収路の１つで終わることを特徴とするパッド。
【請求項３８】
請求項３７に記載のパッドにおいて、
前記複数の半径方向の溝が、前記フランジの周囲に等角間隔で離間されていることを特徴とするパッド。
【請求項３９】
請求項３７に記載のパッドにおいて、
前記半径方向の案内路の各々が鋸歯状であり、異なる深さの鋸歯を有することを特徴とするパッド。
【請求項４０】
請求項３９に記載のパッドにおいて、
各半径方向の案内路が、ある深さを有する中央鋸歯と、前記中央鋸歯に隣接する複数の周辺鋸刃を含み、各周辺鋸歯の深さが前記中央鋸歯の深さより浅いことを特徴とするパッド。
【請求項４１】
請求項２９に記載のパッドにおいて、
前記流体供給用管腔が、前記空洞の中の前記上部と底部との間へと横方向に延びることを特徴とするパッド。
【請求項４２】
請求項４１に記載のパッドにおいて、
前記流体供給用管腔が、前記空洞の側面に面する開放端を有することを特徴とするパッド。
【請求項４３】
請求項４１に記載のパッドにおいて、
前記流体供給用管腔の側面部分が、前記空洞の前記底部に向かって下方に開放していることを特徴とするパッド。
【請求項４４】
請求項４３に記載のパッドにおいて、
前記流体供給用管腔の端が閉鎖して、前記流体供給用管腔が、前記流体供給用管腔からの前記下方への開口部を通じてのみ前記空洞と流体連通していることを特徴とするパッド。
【請求項４５】
請求項２９乃至４４の何れか１項に記載のパッドにおいて、
前記フランジに連結されたリング状の接着剤をさらに備えることを特徴とするパッド。
【請求項４６】
請求項４５に記載のパッドにおいて、
前記接着剤がヒドロゲルを含むことを特徴とするパッド。
【請求項４７】
請求項４５に記載のパッドにおいて、
前記接着剤が感圧接着剤を含むことを特徴とするパッド。
【請求項４８】
請求項４５乃至４７の何れか１項に記載のパッドにおいて、
前記フランジが、前記パッドを創傷被覆材に連結した時に、創傷被覆材に面するように構成された下面を含み、前記接着剤が前記フランジの前記下面に連結されることを特徴とするパッド。
【請求項４９】
請求項２９乃至４４の何れか１項に記載のパッドにおいて、
前記フランジが、高周波（ＲＦ）溶接、超音波溶接または接着剤のうちの少なくとも１つによってドレープに連結されるように構成されていることを特徴とするパッド。
【請求項５０】
請求項４９に記載のパッドにおいて、
前記フランジが創傷被覆材のドレープに連結されることを特徴とするパッド。
【請求項５１】
請求項５０に記載のパッドにおいて、
前記フランジが、高周波（ＲＦ）溶接、超音波溶接または接着剤のうちの少なくとも１つによって前記ドレープに連結されることを特徴とするパッド。
【請求項５２】
流体供給接続パッドにおいて、
被覆材側と接続側を有する本体を備え、前記被覆材側が、上部と底部を有する空洞と、前記空洞の前記底部を取り囲むフランジと、前記空洞の少なくとも一部の周囲に配置され、流体を前記空洞の周囲へと供給することができるように構成された流体供給用リングを含み、前記接続側が、
流体源に連結されるように構成され、前記流体供給用リングと連通する流体供給用管腔を有する単腔型の流体供給接続部と、
真空源と圧力センサに連結されるように構成され、前記空洞の中へと延びる第一の圧力センサ用管腔を有する圧力センサ接続部を含み、前記第一の圧力センサ用管腔の側面部分が空洞へと開放していることを特徴とする流体供給接続パッド。
【請求項５３】
請求項５２に記載の流体供給接続パッドにおいて、
前記本体が、前記空洞の中へと延び、前記第一の圧力センサ用管腔と流体連通する下端を有する少なくとも１つの第二の圧力センサ用管腔を画定し、前記第二の圧力センサ用管腔の側面部分が前記空洞へと開放していることを特徴とする流体供給接続パッド。
【請求項５４】
請求項５３に記載の流体供給接続パッドにおいて、
前記本体が、前記流体供給接続部と前記圧力センサ接続部を含む多腔型の接続部を有し、前記圧力センサ接続部が、前記流体供給用管腔の周囲に配置された環状の圧力センサ用管腔を有し、前記環状の圧力センサ用管腔が第一の圧力センサ用管腔および第二の圧力センサ用管腔と連通していることを特徴とする流体供給接続パッド。
【請求項５５】
流体供給接続パッドにおいて、
被覆材側と接続側を有する本体を備え、前記被覆材側が、上部と底部を有する空洞を画定する表面と、空洞の底部を取り囲むフランジを含み、前記接続側が、
前記空洞の上部と流体連通し、流体源と連結されるように構成された流体供給用管腔を有する流体供給接続部と、
前記空洞の中へと延び、圧力センサに連結されるように構成された第一の圧力センサ用管腔とを含み、前記第一の圧力センサ用管腔の側面部分が前記空洞へと開放し、
前記空洞を画定する前記表面が、前記空洞の前記上部に開放経路を有し、前記開放経路が前記流体供給用管腔に連結されることを特徴とする流体供給接続パッド。
【請求項５６】
請求項５５に記載の流体供給接続パッドにおいて、
前記本体が、前記空洞の中へと延び、前記第一の圧力センサ用管腔と流体連通する少なくとも１つの第二の圧力センサ用管腔を画定し、前記第二の圧力センサ用管腔の側面部分が前記空洞へと開放していることを特徴とする流体供給接続パッド。
【請求項５７】
請求項５６に記載の流体供給接続パッドにおいて、
前記本体が、前記流体供給接続部と前記圧力センサ接続部を含む多腔型の接続部を有し、前記圧力センサ接続部が前記流体供給用管腔の周囲に配置された環状の圧力センサ用管腔を含み、前記環状の圧力センサ用管腔が前記第一の圧力センサ用管腔および第二の圧力センサ用管腔と連通していることを特徴とする流体供給接続パッド。
【請求項５８】
請求項５５乃至５７の何れか１項に記載のパッドにおいて、
前記開放経路の第一の側の前記表面の第一の部分が、前記開放経路から前記空洞の前記底部へと延びる複数の複数の溝を有することを特徴とするパッド。
【請求項５９】
請求項５５乃至５８の何れか１項に記載のパッドにおいて、
前記開放経路の第二の側の前記表面の第二の部分が、前記空洞の前記底部に隣接する前記フランジに実質的に平行な棚状部を画定することを特徴とするパッド。
【請求項６０】
請求項５５乃至５８の何れか１項に記載のパッドにおいて、
前記圧力センサ用管腔が、前記本体を通る前記流体供給用管腔と流体連通していないことを特徴とするパッド。
【請求項６１】
請求項５５乃至５８の何れか１項に記載のパッドにおいて、
前記本体が、前記棚状部と実質的に平坦な前記第第一の圧力センサ用管腔および第二の圧力センサ用管腔の各々の下端を画定し、前記本体が、前記第一の圧力センサ用管腔および第二の圧力センサ用管腔の各々の前記下端において、前記圧力センサ用管腔の側面部分と前記空洞との間に延びる１つまたはそれ以上の切り込みをさらに画定することを特徴とするパッド。
【請求項６２】
請求項６１に記載のパッドにおいて、
前記第一の圧力センサ用管腔および第二の圧力センサ用管腔が、前記開放経路に実質的に垂直な角度で、前記空洞の中へと延びることを特徴とするパッド。
【請求項６３】
請求項５５乃至６２の何れか１項に記載のパッドにおいて、
前記フランジに連結されたリング状の接着剤をさらに備えることを特徴とするパッド。
【請求項６４】
請求項６３に記載のパッドにおいて、
前記接着剤はヒドロゲルを含むことを特徴とするパッド。
【請求項６５】
請求項６３に記載のパッドにおいて、
前記接着剤は感圧接着剤を含むことを特徴とするパッド。
【請求項６６】
請求項６３乃至６５の何れか１項に記載のパッドにおいて、
前記フランジが、前記パッドを創傷被覆材に連結した時に創傷被覆材に面するように構成された下面を有し、前記接着剤が前記フランジの前記下面に連結されることを特徴とするパッド。
【請求項６７】
請求項５５乃至６２の何れか１項に記載のパッドにおいて、
前記フランジが、高周波（ＲＦ）溶接、超音波溶接または接着剤のうちの少なくとも１つによってドレープに連結されるように構成されることを特徴とするパッド。
【請求項６８】
請求項６７に記載のパッドにおいて、
前記フランジが創傷被覆材のドレープに連結されることを特徴とするパッド。
【請求項６９】
請求項６８に記載のパッドにおいて、
前記フランジが、高周波（ＲＦ）溶接、超音波溶接または接着剤のうちの少なくとも１つによって前記ドレープに連結されることを特徴とするパッド。